(57)【要約】      （修正有）【課題】折り鶴を簡単に作ることができ、接着剤などを必要とせず折り鶴の形を維持することが可能な、折り鶴用折紙とその製造方法を提供する。【解決手段】折り鶴用折紙は、一枚の紙素材上に、羽根部分１１０ａ、１１０ｂ、尾部分１２０及び首部分１３０と、これら部分１１０ａ，１１０ｂ〜１３０の根元となる根元部分１４０と、を有する。そして、根元部分１４０に、折り鶴の組み立て後に形態を維持するための接合部１４２ａ、１４２ｂ、１４２ｃ、１４２ｄが設けられていることを特徴とする。折り鶴の組み立て後に形態を維持するための接合部１４２ａ、１４２ｂ、１４２ｃ、１４２ｄを設けることで、簡単に折り鶴の形態を維持することが可能である。このような接合部を一枚の紙素材の中に設けたことで、折り鶴の組み立て後に形態を維持するために、接着剤や他の部品を必要としない。【選択図】図１
2018094237.tif 000002
【特許請求の範囲】
【請求項１】
一枚の紙素材を折り曲げ部分を介して折り曲げることで折り鶴を組み立てられる折り鶴用折紙であって、
羽根部分、尾部分及び首部分と、
前記羽根部分、尾部分及び首部分の根元となる根元部分と、
を有し、
前記根元部分に、前記折り鶴の組み立て後に形態を維持するための接合部が設けられていることを特徴とする、折り鶴用折紙。
【請求項２】
前記羽根部分、前記尾部分、前記首部分及び前記根本部分の少なくともいずれかに、前記紙素材を部分的に切り抜いた切り抜き模様加工が施されていることを特徴とする、請求項１に記載の折り鶴用折紙。
【請求項３】
前記接合部には切り欠き部が形成され、前記切り欠き部の上下方向の組み合わせにより、前記折り鶴の組み立て後の形態が維持されることを特徴とする、請求項１又は２に記載の折り鶴用折紙。
【請求項４】
前記接合部には差込部と被差込部が形成され、前記差込部と前記被差込部の左右方向の組み合わせにより、前記折り鶴の組み立て後の形態が維持されることを特徴とする、請求項１又は２に記載の折り鶴用折紙。
【請求項５】
前記折り曲げ部分に窪み加工が施されていることを特徴とする、請求項１〜４のいずれかに記載の折り鶴用折紙。
【請求項６】
一枚の紙素材を折り曲げ部分を介して折り曲げることで折り鶴を組み立てられる折り鶴用折紙を製造する方法であって、
前記折り鶴用折紙は、
羽根部分、尾部分及び首部分と、
前記羽根部分、尾部分及び首部分の根元となる根元部分と、
を有し、
前記根元部分に、前記折り鶴の組み立て後に形態を維持するための接合部が設けられているものであり、
前記羽根部分、尾部分及び首部分の少なくともいずれかに、前記紙素材を部分的に切り抜いた切り抜き模様加工が施されており、
前記折り曲げ部分に窪み加工が施されているものであり、
前記窪み加工、前記切り抜き模様加工及び前記折り鶴用折紙の外周を切り抜く加工が、レーザーカットにより行われることを特徴とする、折り鶴用折紙の製造方法。
【請求項７】
前記窪み加工、前記切り抜き模様加工及び前記折り鶴用折紙の外周を切り抜く加工が、前記窪み加工、前記切り抜き模様加工、前記折り鶴用折紙の外周を切り抜く加工の順で行われることを特徴とする、請求項６に記載の折り鶴用折紙の製造方法。
【発明の詳細な説明】
【技術分野】
【０００１】
本発明は、折り鶴用折紙とその製造方法に関する。
【背景技術】
【０００２】
従来、紙製の鶴を作るには、正方形の折紙などの素材を日本古来の折り方で折って、折り鶴としていた。正方形の素材を折るには、複雑に繰り返し折る必要があり、折り方を覚えるのは難しく、本などを見ながら折るのは手間であった。この問題を解決するために、従来、簡略化した異形の折紙素材が知られていた（例えば、特許文献１参照）。
【先行技術文献】
【特許文献】
【０００３】
【特許文献１】実開平５−４８９９８号公報
【発明の概要】
【発明が解決しようとする課題】
【０００４】
しかしながら、特許文献１に開示されるような簡略化した異形の素材では、折り曲げによって固定される部分が少なくなるため、完成した折り鶴の形を維持するのが難しかった。完成した折り鶴を接着剤や他の部品で留める方法も考えられるが、コストがかさむとともに手間が掛かるという問題があった。
【０００５】
そこで本発明は、このような問題に鑑みてなされたものであり、その目的とするところは、折り鶴を簡単に作ることができ、接着剤などを必要とせず折り鶴の形を維持することが可能な、折り鶴用折紙とその製造方法を提供することにある。
【課題を解決するための手段】
【０００６】
上記課題を解決するために、本発明の第１の観点によれば、一枚の紙素材を折り曲げ部分を介して折り曲げることで折り鶴を組み立てられる折り鶴用折紙が提供される。本発明の折り鶴用折紙は、羽根部分、尾部分及び首部分と、前記羽根部分、尾部分及び首部分の根元となる根元部分と、を有し、前記根元部分に、前記折り鶴の組み立て後に形態を維持するための接合部が設けられていることを特徴とする。
【０００７】
かかる折り鶴用折紙（折り鶴用シート）によれば、折り鶴の組み立て後に形態を維持するための接合部を設けることで、羽根部分、尾部分及び首部分を折り曲げ部（折り曲げ線、折線）を介して折り曲げるだけで、折り鶴を簡単に作ることができ、簡単に折り鶴の形態を維持することが可能である。このような接合部を一枚の紙素材の中に設けたことで、折り鶴の組み立て後に形態を維持するために、接着剤や他の部品を必要としない。またコストも掛からない。このようにして、折り鶴を簡単に作ることができ、接着剤などを必要とせず折り鶴の形を維持することが可能である。
【０００８】
本発明は以下のようなさまざまな応用が可能である。以下に説明する本発明の応用例は、適宜組み合わせることが可能である。
【０００９】
例えば、前記羽根部分、前記尾部分、前記首部分及び前記根本部分の少なくともいずれかに、前記紙素材を部分的に切り抜いた切り抜き模様加工が施されていてもよい。このような切り抜き模様加工によれば、切り絵のような芸術性の高い折り鶴とすることができる。
【００１０】
また、前記接合部には切り欠き部が形成され、前記切り欠き部の上下方向の組み合わせにより、前記折り鶴の組み立て後の形態が維持されるようにしてもよい。このような切り欠き部を上下方向に組み合わせるだけの簡易な方法により、折り鶴の組み立て後の形態を維持することが可能である。
【００１１】
前記接合部には差込部と被差込部が形成され、前記差込部と前記被差込部の左右方向の組み合わせにより、前記折り鶴の組み立て後の形態が維持されるようにしてもよい。このような接合部を左右方向に差し込むだけの簡易な方法により、折り鶴の組み立て後の形態を維持することが可能である。
【００１２】
前記折り曲げ部分に窪み加工が施されているようにしてもよい。折り曲げ部分に窪み加工（凹凸加工）を施すことで、折り曲げやすく、美しい折り鶴にすることができる。
【００１３】
上記課題を解決するため、本発明の第２の観点によれば、一枚の紙素材を折り曲げ部分を介して折り曲げることで折り鶴を組み立てられる折り鶴用折紙を製造する方法が提供される。本発明の折り鶴用折紙の製造方法において、前記折り鶴用折紙は、羽根部分、尾部分及び首部分と、前記羽根部分、尾部分及び首部分の根元となる根元部分と、を有し、前記根元部分に、前記折り鶴の組み立て後に形態を維持するための接合部が設けられているものであり、前記羽根部分、尾部分及び首部分の少なくともいずれかに、前記紙素材を部分的に切り抜いた切り抜き模様加工が施されており、前記折り曲げ部分に窪み加工が施されているものである。そして、前記窪み加工、前記切り抜き模様加工及び前記折り鶴用折紙の外周を切り抜く加工が、レーザーカットにより行われることを特徴とする。
【００１４】
かかる製造方法によれば、折り鶴用折紙の製造を１台のレーザーカット装置により一連の工程で行うことができる。このため、各加工部分を正確にきれいに形成できるとともに、厚い紙でも切り抜き模様加工を壊さずに形成できる。さらに、量産ができるなどの優れた効果が得られる。
【００１５】
本発明の第２の観点においてもさまざまな応用が可能である。例えば、前記窪み加工、前記切り抜き模様加工及び前記折り鶴用折紙の外周を切り抜く加工を、このとおりの順序、すなわち、前記窪み加工、前記切り抜き模様加工、前記折り鶴用折紙の外周を切り抜く加工の順で行われるようにしてもよい。
【００１６】
このような順序でレーザーカット加工を行うことにより、製品の不良を少なくすることができる。すなわち、窪み加工（折り曲げ部分の加工）を最初にするのは、穴の加工（切り抜き模様加工）により生じる穴の切カスが下に落ちないで紙の上に跳ね上がって残ってしまうと、切カスの上を加工することになるからである。また、外周を切り抜く加工を最後にするのは、この加工を先にすると、周りの紙と離れてしまうため、窪み加工（折り曲げ部分の加工）と穴の加工（切り抜き模様加工）の位置がずれる可能性がある。この点、上記の順序でレーザーカット加工を行うことによって、このような不具合が低減し、製品の不良を少なくすることができる。
【発明の効果】
【００１７】
本発明によれば、折り鶴を簡単に作ることができ、接着剤などを必要とせず折り鶴の形を維持することが可能である。本発明のその他の効果については、以下の発明を実施するための形態の項でも説明する。
【図面の簡単な説明】
【００１８】
【図１】第１の実施形態の折り鶴用折紙を示す図である。
【図２】折り方の第１ステップを示す図である。
【図３】折り方の第２ステップを示す図である。
【図４】折り方の第３ステップを示す図である。
【図５】折り方の第４ステップを示す図である。
【図６】折り方の第５ステップを示す図である。
【図７】完成した折り鶴を示す図である。
【図８】第２の実施形態の折り鶴用折紙を示す図である。
【図９】完成した折り鶴を示す図である。
【図１０】第３の実施形態の折り鶴用折紙を示す図である。
【発明を実施するための形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
（第１の実施形態）
図１は、第１の実施形態の折り鶴用折紙を示す図である。本実施形態の折り鶴用折紙１００は、図１に示したように、基本形に切断されており、折り曲げ部分は曲げ易いように窪み加工（凹凸加工）されている。折り鶴用折紙１００は、一枚の紙素材を折り曲げ部分を介して折り曲げることで折り鶴を組み立てられるものである。以下、詳細に説明する。
【００２１】
折り鶴用折紙１００は、図１に示したように、一枚の紙素材上に、羽根部分１１０（１１０ａ、１１０ｂ）、尾部分１２０及び首部分１３０と、これら部分１１０〜１３０の根元となる根元部分１４０と、を有する。そして、根元部分１４０に、折り鶴の組み立て後に形態を維持するための接合部１４２が設けられていることを特徴とする。以下、各部分について、さらに詳細に説明する。
【００２２】
羽根部分１１０は、図１に示したように、上部の羽根部分１１０ａと下部の羽根部分１１０ｂとからなる。羽根部分１１０は、後述するように、上部の羽根部分１１０ａと下部の羽根部分１１０ｂとが重ねられた後、開いた状態に折られることで、折り鶴の羽根を形成する。
【００２３】
尾部分１２０は、後述するように、２つ折りにされることで、折り鶴の尾を形成する。
【００２４】
首部分１３０は、後述するように、２つ折りにされた後、頂部が折り返されることで、折り鶴の首と口ばしを形成する。
【００２５】
根元部分１４０は、上記の部分１１０〜１３０の根本（付け根）となる部分である。完成形の折り鶴としては背部分（背中部分）を構成する。根元部分１４０には、図１に示したように、折り鶴の組み立て後に形態を維持するための接合部１４２（１４２ａ、１４２ｂ、１４２ｃ、１４２ｄ）が設けられている。
【００２６】
各接合部１４２には切り欠き加工Ｃ１、Ｃ２が形成されている。折り曲げ時にこの切り欠き加工Ｃ１、Ｃ２の組み合わせにより、接合部１４２が接合される。切り欠き加工Ｃ１とＣ２の違い等については、さらに後述する。
【００２７】
以上、折り鶴用折紙１００の構成について説明した。
次に、折り鶴用折紙１００の折り方について、図２〜図７を参照しながら説明する。
【００２８】
まず、図１の基本形から、図２に示したように、上下方向中心の折り曲げ部分Ｌ１を中心に二つ折りに曲げ、羽根部分１１０ａ、１１０ｂを折り合わせる。図３は、上下方向中心の折り曲げ部分Ｌ１を中心に二つ折りに曲げ、羽根部分１１０ａ、１１０ｂを折り合わせた状態を示す。
【００２９】
次に、図３に示したように、尾部分１２０と首部分１３０の根元の折り曲げ部分Ｌ２とＬ３を谷折り、折り曲げ部分Ｌ４を山折りに曲げる。図４は、尾部分１２０と首部分１３０の根元の折り曲げ部分Ｌ２とＬ３を谷折り、折り曲げ部分Ｌ４を山折りに曲げた状態を示す。
【００３０】
次に、図４に示したように、羽根部分１１０ｂの根元の折り曲げ部分Ｌ５を谷折りに曲げる。図５は、羽根部分１１０ｂの根元の折り曲げ部分Ｌ５を谷折りに曲げた状態を示す。
【００３１】
次に、図５に示したように、接合部分１４２ａ、１４２ｂ、１４２ｃ、１４２ｄの根元の折り曲げ部分Ｌ６を谷折りに曲げ、接合部分１４２ａ、１４２ｂと、接合部分１４２ｃ、１４２ｄとを接合させる。本実施形態では、接合部分１４２は、図５に示したように、接合部分１４２ａ、１４２ｂと、接合部分１４２ｃ、１４２ｄとを、それぞれ上下方向から組み合わせる形状である。これにより、完成後の折り鶴の形が維持できるのである。
【００３２】
次に、図５の状態から、図６に示したように、首部分１３０の折り曲げ部分Ｌ７を山折り、折り曲げ部分Ｌ８を谷折りして口ばしを形成し、さらに、羽根部分１１０ａ、１１０ｂの折り曲げ部分Ｌ９を山折りに曲げる。
【００３３】
以上のようにして、図７に示したように、折り鶴が完成する。なお、以上の折り曲げ順序は一例であり、折り曲げ順序を適宜入れ替えてもよい。例えば、上述した接合部分１４２の接合は、口ばしと羽根の形成の後に行ってもよい。
【００３４】
以上、折り鶴用折紙１００の構成と折り方について説明した。
次に、折り鶴用折紙１００の製造方法について説明する。
【００３５】
図１の折り鶴用折紙１００を製造するために、本実施形態では、レーザーカット装置を使用したレーザーカットを行う。レーザーカットによれば、以下のような効果がある。
・レーザーカットにて折り曲げ部分を削って折り曲げやすくなる。
・厚い紙でも穴（切り絵）部分を壊さずに折ることができる。
・レーザーカットなので量産ができる。
【００３６】
また、レーザーカットにおいて、折り目加工と切り抜き加工（穴加工）を行うことができる。折り目加工になるか切り抜き加工（穴加工）になるかは、レーザーのパワー（光の強弱）とスピード（遅速）を紙の種類（厚さ・硬さ）ごとにレーザーカット装置への数値入力にて設定することができる。
【００３７】
まず、図１に示した折り鶴用折紙１００を作成するために十分な大きさの紙素材を用意する。本実施形態において、レーザーカットを行う箇所は、折り曲げ部分Ｌ１〜Ｌ９と外周である。まず、折り曲げ部分Ｌ１〜Ｌ９の加工を行う。その後に、外周を切り抜いて、図１に示した折り鶴用折紙１００を製造することができる。
【００３８】
最初に折り曲げ部分Ｌ１〜Ｌ９を製造し、その後に外周を切り抜くことにより、不良を少なくすることができる。すなわち、外周を最初にカットすると、周りの紙と離れてしまうため、折り部分の位置がズレる可能性があるからである。また、外周を先にカットすると、外周をカットした場合の切カスが紙の上に残ってしまうことがあり、この場合に切カスの上をカットすることになるからである。
【００３９】
以上のようにして、上記優れた効果を有する折り鶴用折紙１００を製造することができる。
【００４０】
（第１の実施形態の効果）
以上説明したように、本実施形態によれば、折り鶴の組み立て後に形態を維持するための接合部１４２（１４２ａ〜１４２ｄ）を設けることで、羽根部分１１０（１１０ａ、１１０ｂ）、尾部分１２０及び首部分１３０を折り曲げ部（折り曲げ線、折線）Ｌ１〜Ｌ９を介して折り曲げるだけで、折り鶴を簡単に作ることができ、簡単に折り鶴の形態を維持することが可能である。このような接合部１４２を一枚の紙素材の中に設けたことで、折り鶴の組み立て後に形態を維持するために、接着剤や他の部品を必要としない。またコストも掛からない。このようにして、折り鶴を簡単に作ることができ、接着剤などを必要とせず折り鶴の形を維持することが可能である。
【００４１】
また、接合部１４２には切り欠き部Ｃが形成され、このような切り欠き部Ｃを上下方向に組み合わせるだけの簡易な方法により、折り鶴の組み立て後の形態を維持することが可能である。
【００４２】
また、折り曲げ部分Ｌ１〜Ｌ９に窪み加工（凹凸加工）を施すことで、折り曲げやすく、美しい折り鶴にすることができる。この窪み加工は、例えば、山折り部分は２本の窪みを設け、谷折り部分は１本の窪みを設けることができる。窪みの本数は紙の厚さなどにより、窪みの本数を変えてもよい。山折り部分を１本の窪みとしてもよい。
【００４３】
また、折り鶴用折紙の製造を１台のレーザーカット装置により一連の工程で行うことができる。このため、各加工部分を正確にきれいに形成できるとともに、厚い紙でも切り抜き模様加工を壊さずに形成できる。さらに、量産ができるなどの優れた効果が得られる。
【００４４】
また、本実施形態の順序でレーザーカット加工を行うことによって、不具合が低減し、製品の不良を少なくすることができる。
【００４５】
（第２の実施形態）
第２の実施形態について、図８及び図９を参照しながら説明する。なお、上記第１の実施形態と同様の点については重複説明を省略し、上記第１の実施形態と異なる点を中心に説明する。
【００４６】
本実施形態の折り鶴用折紙２００は、図８に示したように、羽根部分２１０（２１０ａ、２１０ｂ）、尾部分２２０、首部分２３０及び根本部分２４０に、紙素材を部分的に切り抜いた切り抜き模様加工Ｇが施されていることを特徴とする。なお、図８では、各部分２１０〜２４０のすべてに切り抜き模様加工Ｇを施した一例を示しているが、切り抜き模様加工Ｇは、各部分２１０〜２４０のすべてに施す必要はなく、必要な部分に施すことができる。
【００４７】
折り鶴用折紙２００のその他の構成については、上記第１の実施形態の折り鶴用折紙１００と実質的に同様である。
【００４８】
折り鶴用折紙２００の折り方については、上記第１の実施形態と実質的に同様である。羽根部分２１０（２１０ａ、２１０ｂ）、尾部分２２０及び首部分２３０が素材が一枚のため、上記第１の実施形態と同様に折ることによって、図９に示したような美しい模様の折り鶴とすることができる。
【００４９】
折り鶴用折紙２００の製造方法について説明する。
【００５０】
まず、図８に示した折り鶴用折紙２００を作成するために十分な大きさの紙素材を用意する。本実施形態において、レーザーカットを行う箇所は、折り曲げ部分（第１の実施形態のＬ１〜Ｌ９に対応する部分）と切り抜き模様加工Ｇと外周である。まず、折り曲げ部分の加工を行う。その後に、切り抜き模様加工Ｇの加工を行う。その後に外周を切り抜いて、図１に示した折り鶴用折紙１００を製造することができる。
【００５１】
最初に折り曲げ部分を製造し、その後に、切り抜き模様加工Ｇの加工を行い、その後に外周を切り抜くことにより、不良を少なくすることができる。すなわち、
・外周を最初にカットすると、周りの紙と離れてしまうため、折り部分と穴の加工の位置がズレる可能性がある。
・折り曲げ部分を最初にカットするのは、穴を先にカットした場合に穴の切カスが下に落ちなく、紙の上に跳ね上がって残ってしまうと、切カスの上をカットすることになるからである。
【００５２】
以上のようにして、上記優れた効果を有する折り鶴用折紙２００を製造することができる。
【００５３】
（第２の実施形態の効果）
以上説明したように、本実施形態によれば、上記実施形態の効果に加え、羽根部分２１０（２１０ａ、２１０ｂ）、尾部分２２０及び首部分２３０に、紙素材を部分的に切り抜いた切り抜き模様加工Ｇが施されていることで、切り絵のような芸術性の高い折り鶴とすることができる。
【００５４】
また、本実施形態の順序でレーザーカット加工を行うことによって、切り抜き模様加工Ｇを施した場合であっても、不具合が低減し、製品の不良を少なくすることができる。
【００５５】
（第３の実施形態）
第３の実施形態について、図１０を参照しながら説明する。なお、上記第１の実施形態と同様の点については重複説明を省略し、上記第１の実施形態と異なる点を中心に説明する。
【００５６】
本実施形態は、接合部分の形状が上記第１の実施形態と異なる。本実施形態の折り鶴用折紙３００は、図１０に示したように、接合部３４２（３４２ａ〜３４２ｄ）に、差込部Ｐ１と被差込部Ｐ２とからなる。そして、差込部Ｐ１と被差込部Ｐ２とが左右方向に接合されることにより、折り鶴の組み立て後の形態が維持されることを特徴とする。
【００５７】
折り鶴用折紙３００のその他の構成については、上記第１の実施形態の折り鶴用折紙１００と実質的に同様である。
【００５８】
折り鶴用折紙３００の折り方は、差込部Ｐ１と被差込部Ｐ２の点以外は、上記第１の実施形態と同様である。また、折り鶴用折紙３００の製造方法も、差込部Ｐ１と被差込部Ｐ２の点以外は、上記第１の実施形態と実質的に同様である。差込部Ｐ１と被差込部Ｐ２もレーザーカットにて容易に加工することが可能である。
【００５９】
以上説明したように、本実施形態によれば、上記実施形態の効果に加え、接合部３４２には差込部３４２ａと被差込部３４２ｂが形成され、このような差込部３４２ａと被差込部３４２ｂを左右方向に差し込むだけの簡易な方法により、折り鶴の組み立て後の形態を維持することが可能である。
【００６０】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００６１】
例えば、上記第１の実施形態では、接合部１４２の切り欠き部Ｃの形態として、切り欠き部Ｃの上下方向の組み合わせにより、折り鶴の組み立て後の形態が維持されることについて説明したが、本発明はこれに限定されない。切り欠き部は左右方向やその他の方向から組み合わせる形態であってもよい。
【００６２】
また、上記第３の実施形態では、接合部３４２の差込部Ｐ１と被差込部Ｐ２の形態として、差込部Ｐ１と被差込部Ｐ２の左右方向の組み合わせにより、折り鶴の組み立て後の形態が維持されることについて説明したが、本発明はこれに限定されない。差込部と被差込部は上下方向やその他の方向から組み合わせる形態であってもよい。
【００６３】
また、上記実施形態では、折り曲げ部分Ｌ１〜Ｌ９に窪み加工が施されている例について説明したが、本発明はこれに限定されない。例えば、折り曲げ部分には、折り曲げ線を印刷するようにしてもよい。
【００６４】
以上説明した各実施形態、変更例及び応用例の内容は、適宜組み合わせて実施できる。例えば、切り抜き模様加工（切り絵加工）を施した折り鶴用折紙（第２の実施形態）において、差込部と被差込部とからなる接合部を設ける（第３の実施形態）こともできる。このように任意の組み合わせが可能である。
【符号の説明】
【００６５】
１００  折り鶴用折紙
１１０（１１０ａ、１１０ｂ）  羽根部分
１２０  尾部分
１３０  首部分
１４０  根元部分
１４２（１４２ａ、１４２ｂ、１４２ｃ、１４２ｄ）  接合部
Ｌ１〜Ｌ９  折り曲げ部分
Ｃ１、Ｃ２  切り欠き加工
Ｐ１  差込部
Ｐ２  被差込部
【図１】
2018094237.tif 000003
【図２】
2018094237.tif 000004
【図３】
2018094237.tif 000005
【図４】
2018094237.tif 000006
【図５】
2018094237.tif 000007
【図６】
2018094237.tif 000008
【図７】
2018094237.tif 000009
【図８】
2018094237.tif 000010
【図９】
2018094237.tif 000011
【図１０】
2018094237.tif 000012
【手続補正書】
【提出日】平成29年5月24日(2017.5.24)
【手続補正１】
【補正対象書類名】特許請求の範囲
【補正対象項目名】全文
【補正方法】変更
【補正の内容】
【特許請求の範囲】
【請求項１】
一枚の紙素材を折り曲げ部分を介して折り曲げることで折り鶴を組み立てられる折り鶴用折紙であって、
前記折り鶴の一部を構成する羽根部分、尾部分及び首部分と、
前記羽根部分、尾部分及び首部分の根元となる根元部分と、
を有し、
前記根元部分は、前記折り鶴の一部を構成する背中部分と、前記折り鶴の組み立て後に形態を維持するための接合部と、を有し、
前記接合部は、前記折り鶴の組み立て後に前記背中部分の外周を囲むように接合されて組み立て後の前記折り鶴の形態を維持することを特徴とする、折り鶴用折紙。
【請求項２】
前記羽根部分、前記尾部分、前記首部分及び前記根元部分の少なくともいずれかに、前記紙素材を部分的に切り抜いた切り抜き模様加工が施されていることを特徴とする、請求項１に記載の折り鶴用折紙。
【請求項３】
前記接合部には切り欠き部が形成され、前記切り欠き部の上下方向の組み合わせにより、前記折り鶴の組み立て後の形態が維持されることを特徴とする、請求項１又は２に記載の折り鶴用折紙。
【請求項４】
前記接合部には差込部と被差込部が形成され、前記差込部と前記被差込部の左右方向の組み合わせにより、前記折り鶴の組み立て後の形態が維持されることを特徴とする、請求項１又は２に記載の折り鶴用折紙。
【請求項５】
前記折り曲げ部分に窪み加工が施されていることを特徴とする、請求項１〜４のいずれかに記載の折り鶴用折紙。
【請求項６】
一枚の紙素材を折り曲げ部分を介して折り曲げることで折り鶴を組み立てられる折り鶴用折紙を製造する方法であって、
前記折り鶴用折紙は、
前記折り鶴の一部を構成する羽根部分、尾部分及び首部分と、
前記羽根部分、尾部分及び首部分の根元となる根元部分と、
を有し、
前記根元部分は、前記折り鶴の一部を構成する背中部分と、前記折り鶴の組み立て後に形態を維持するための接合部と、を有し、
前記接合部は、前記折り鶴の組み立て後に前記背中部分の外周を囲むように接合されて組み立て後の前記折り鶴の形態を維持するものであり、
前記羽根部分、尾部分及び首部分の少なくともいずれかに、前記紙素材を部分的に切り抜いた切り抜き模様加工が施されており、
前記折り曲げ部分に窪み加工が施されているものであり、
前記窪み加工、前記切り抜き模様加工及び前記折り鶴用折紙の外周を切り抜く加工が、レーザーカットにより行われることを特徴とする、折り鶴用折紙の製造方法。
【請求項７】
前記窪み加工、前記切り抜き模様加工及び前記折り鶴用折紙の外周を切り抜く加工が、前記窪み加工、前記切り抜き模様加工、前記折り鶴用折紙の外周を切り抜く加工の順で行われることを特徴とする、請求項６に記載の折り鶴用折紙の製造方法。
【手続補正２】
【補正対象書類名】明細書
【補正対象項目名】０００９
【補正方法】変更
【補正の内容】
【０００９】
例えば、前記羽根部分、前記尾部分、前記首部分及び前記根元部分の少なくともいずれかに、前記紙素材を部分的に切り抜いた切り抜き模様加工が施されていてもよい。このような切り抜き模様加工によれば、切り絵のような芸術性の高い折り鶴とすることができる。
【手続補正３】
【補正対象書類名】明細書
【補正対象項目名】００２５
【補正方法】変更
【補正の内容】
【００２５】
根元部分１４０は、上記の部分１１０〜１３０の根元（付け根）となる部分である。完成形の折り鶴としては背部分（背中部分）を構成する。根元部分１４０には、図１に示したように、折り鶴の組み立て後に形態を維持するための接合部１４２（１４２ａ、１４２ｂ、１４２ｃ、１４２ｄ）が設けられている。
【手続補正４】
【補正対象書類名】明細書
【補正対象項目名】００４６
【補正方法】変更
【補正の内容】
【００４６】
本実施形態の折り鶴用折紙２００は、図８に示したように、羽根部分２１０（２１０ａ、２１０ｂ）、尾部分２２０、首部分２３０及び根元部分２４０に、紙素材を部分的に切り抜いた切り抜き模様加工Ｇが施されていることを特徴とする。なお、図８では、各部分２１０〜２４０のすべてに切り抜き模様加工Ｇを施した一例を示しているが、切り抜き模様加工Ｇは、各部分２１０〜２４０のすべてに施す必要はなく、必要な部分に施すことができる。